(57)【要約】【課題】表示装置への装着安定性に優れ、さらに装着後に画面に表示された情報を見えにくくするようなことのない光学フィルタ用取付具およびそれを用いて光学フィルタが取り付けられた表示装置を提供する。【解決手段】  フラットパネルディスプレイに取り付ける光学フィルタの取付具であって、該取付具には硬質材料からなる芯材料からなる芯部と軟質材料からなる周部材とを具備している。【選択図】  図１
2005227539.tif 000002
【特許請求の範囲】
【請求項１】
表示装置に取り付ける光学フィルタの取付具において、該取付具は硬質材料からなる芯材と軟質材料からなる周部材を具備していることを特徴とする光学フィルタ取付具。
【請求項２】
前記軟質材料として樹脂を用いる請求項１に記載の光学フィルタ用取付具。
【請求項３】
前記軟質材料としてゴムを用いる請求項１に記載の光学フィルタ用取付具。
【請求項４】
硬質材料として鋼を用いる請求項１〜３のいずれかに記載の光学フィルタ用取付具。
【請求項５】
前記の芯材はステンレス板で厚みが１ｍｍ以下の板材である、請求項１〜４のいずれかに記載の光学フィルタ用取付具。
【請求項６】
表示装置の筺体に沿うように屈曲せしめて光学フィルタを取り付けるものである請求項１〜５のいずれかに記載の光学フィルタ用取付具。
【請求項７】
請求項１〜６のいずれかに記載の光学フィルタ用取付具により光学フィルタが取り付けられた表示装置。
【請求項８】
表示装置の筐体と光学フィルタ取付具は同色または同系色である請求項７に記載の表示装置。
【発明の詳細な説明】
【技術分野】
【０００１】
本発明は、パソコンや各種映像機器に具備された表示装置に用いる光学フィルタを取り付けるための光学フィルタ用取付具およびそれを用いて光学フィルタが取り付けられた表示装置に関する。
【背景技術】
【０００２】
パソコンや各種映像機器に用いられる表示装置にはＣＲＴ（陰極線管）やＬＣＤ（液晶表示装置）等が用いられているが、これらの表示装置の画面は照明光などを反射しやすいために、その表示面に周囲の景色が映り込み、表示画像が見え難い。そこで、表示画面の視認性向上、反射防止やコントラスト向上がはかられ、また別の機能として静電気を低減したり、電磁波を遮蔽する種々の表示装置用光学フィルタが提案されている。
【０００３】
液晶表示装置用の光学フィルタに用いる光学フィルタを装着する際に、引っ掛けて装着する光学フィルタの取付具が提案されているが（特許文献１参照）、該取付具ではしっかりと光学フィルタを固定することはできず、光学フィルタが落下するおそれがあった。
【０００４】
また、別な態様の取付具（特許文献２参照）においては装着の際に金属線材が表示面または操作面に接触することでキズなどが発生する問題点があった。
【特許文献１】実開平７−４４３８７号公報
【特許文献２】実開平６−４７０５号公報
【発明の開示】
【発明が解決しようとする課題】
【０００５】
本発明は、かかる問題点に鑑みてなされたものであり、表示装置への装着安定性に優れ、交換が簡便であり、さらに装着後の表示画面の視認性に優れた光学フィルタ用取付具およびそれを用いて光学フィルタが取り付けられた表示装置を提供することを目的とする。
【課題を解決するための手段】
【０００６】
上記課題を解決するため、本発明は下記の構成を有する。すなわち、
（１）表示装置に取り付ける光学フィルタの取付具において、該取付具は硬質材料からなる芯材と軟質材料からなる周部材を具備していることを特徴とする光学フィルタ取付具、
（２）前記軟質材料として樹脂を用いる前記（１）に記載の光学フィルタ用取付具、
（３）前記軟質材料としてゴムを用いる前記（１）に記載の光学フィルタ用取付具、
（４）硬質材料として鋼を用いる前記（１）〜（３）のいずれかに記載の光学フィルタ用取付具、
（５）前記の芯材はステンレス板で厚みが１ｍｍ以下の板材である、前記（１）〜（４）のいずれかに記載の光学フィルタ用取付具、
（６）表示装置の筺体に沿うように屈曲せしめて光学フィルタを取り付けるものである前記（１）〜（５）のいずれかに記載の光学フィルタ用取付具、
（７）前記（１）〜（６）のいずれかに記載の光学フィルタ用取付具により光学フィルタが取り付けられた表示装置、
（８）表示装置の筐体と光学フィルタ取付具は同色または同系色である前記（７）に記載の表示装置、である。
【発明の効果】
【０００７】
本発明の光学フィルタ用取付具を用いることで、表示装置の如何を問わず装着安定性に優れ、容易に装着でき、画面の視認性に何ら悪影響を与えず、装着時、取付具による表示面または操作面にキズなどを防ぎ、悪影響を与えないという優れた効果を発揮する。
【発明を実施するための最良の形態】
【０００８】
次に本発明の好ましい実施の形態を図面を用いて説明する。
【０００９】
図１は、本発明の光学フィルタ用取付具を用いて光学フィルタを表示装置であるノートパソコンの表示画面に取り付けた一実施例を示す斜視図、図２は、図１に示した光学フィルタの取付部の拡大側面図、図３は、光学フィルタ用取付具の１例を示す斜視図。図４は図３に示した光学フィルタの取付具を表示装置（図示せず）に沿って屈曲させた状態を示す斜視図、図５は、図３に示した光学フィルタ用取付具のＹ−Ｙ断面図、図６は本発明に係る取付具を用いて、液晶型モニタの表示画面に光学フィルタを取り付けた一実施例を示す斜視図である。
【００１０】
本発明は、防眩性やコントラスト向上等の機能を有する光学フィルタまたは、表示装置の画面を保護する機能を有する光学フィルタを表示装置に取り付けるために用いる取付具である。
【００１１】
本発明の取付具が用いられる、光学フィルタとしては、ガラスやアクリル、ポリカーボネイトなどの透明な材料基板に、蒸着やスパッタなどで反射防止膜や透明導電膜等を形成したもので、従来公知のフィルタ基板を好適に用いることができ、特に限定されるものでは無い。
【００１２】
図１においては、光学フィルタは表示装置の画面部の縦横寸法より大きい寸法でトリミングされ、本発明の取付具により取り付けられている。
【００１３】
本発明の取付具は、硬質材料からなる芯材と軟質材料からなる周部材とを有する。
【００１４】
硬質材料とは、後述する軟質材料よりも曲げ弾性率が高く、かつ塑性変形する材料を用いることが好ましく、本発明に適した硬質材料としては、引張強さが好ましく６０Ｎ／ｍｍ2以上、さらに好ましくは４５０Ｎ／ｍｍ2以上である。好ましい引張強さの上限としては特に限定はないが好ましくは２０００Ｎ／ｍｍ2以下、更に好ましくは１８００Ｎ／ｍｍ2以下程度である。また、本発明に適した硬質材料の耐力としては、好ましく２０Ｎ／ｍｍ2以上、更に好ましくは１８０Ｎ／ｍｍ2以上である。その好ましい上限としては特に制限はないが好ましく１０００Ｎ／ｍｍ2以下、更に好ましく１３００Ｎ／ｍｍ2以下である。具体的には、炭素鋼、ステンレス鋼やバネ鋼等鋼材の金属材料やアルミニウム、マグネシウム等の合金材料を用いることができる。硬質材料は本発明の取付具を屈曲させて表示装置の筺体の外形に沿うように取り付ける際に、曲げやすく、また、形状保持性に優れ、また、化学的安定性があるものが望まれるが、ステンレス製バネ鋼材を用いることで優れた取付具を得ることができる。硬質材料からなる芯材は板状とした場合は、軟質材料硬度と兼ね合いがあるものの、曲げやすさの観点からその厚みとして、０．３〜１ｍｍが好ましく、より好ましくは０．４〜０．６ｍｍである。また、芯材には線状のものを用いてもよく、複数の芯材を用いることもできる。
【００１５】
軟質材料とは、ゴム状弾性を具備する材料であり、ゴム硬度が７０度以下の樹脂またはゴムを用いることが好ましい。硬度についての好ましい下限は特にないが、取り扱い性に優れることから１０度以上のものを用いることが好ましい。具体的には、ポリオレフィン系エラストマー、スチレン系エラストマー、シリコーン樹脂、フッ素樹脂、ポリウレタン樹脂、酢酸ビニル樹脂、エチレン酢酸ビニル樹脂（ＥＶＡ樹脂）、天然ゴム、合成ゴム等の材料が好ましく用いられる。特に後述する成形方法を考慮し、安価に入手可能なエチレン酢酸ビニル樹脂が最も好ましい。該軟質材料を用いることで、本発明の取付具は表示装置の筺体の外形に取り付けて用いるものであるため、表示面や表示装置筐体と接触するときに滑り止めとなったり、キズがつくことを防止することができる。
【００１６】
芯材に対する周部材の配置は、図５に示すように、周部材が芯材をその全部または一部を包摂するように配してもよいし、周部材の複数の片を芯材の周囲に配置してもよい。周部材を配するにあたっては芯材が表示装置の筺体に接触することのないように配することが好ましい。また、芯材に孔が設けられている場合では該孔を貫通するように周部材を配することも可能であり、かかる場合は芯材と周部材との固定を強固にできる。
【００１７】
芯材に周部材を配する簡便な方法としては、軟質材料の定量性に優れ、生産性にも優れることから射出成形機などを用いたインサート成形などで形成する方法や、少量生産に対応できる方法として金型に主原料に硬化剤を注入して形成する注型成形などで形成することができる。注型成形においては、軟質材料としてポリウレタン樹脂を用いることが好ましい。
【００１８】
本発明の取付具は、硬質材料からなる芯材を用いることによって、表示装置個々のサイズ変動に影響されず、また、図４に示すように表示装置（図示せず）に沿った形状に屈曲させて用いたときに高い固定力が発揮され、安定して表示装置に取り付けることができる。また、軟質材料からなる周部材を用いることで表示装置との接触時にキズなどを防ぐことができ、また、取付具表面の摩擦係数を高めることが可能性あり、表示装置へ装着時または使用時に簡単に落下しないなど滑り止め効果を発揮する。
【００１９】
特に、軟質材料からなる周部材は、表示装置と接触する面において、溝や孔、あるいは点状また線状の突起が、単数または複数設けられたものであると光学フィルターの固定力はさらに高まり、また、表示装置画面や筐体のキズもつきにくくなり更に一層良好なものとできる。
【００２０】
本発明の取付具とフィルター基板の係止は、両面テープや接着剤で固定することもできるが、経時的な影響により接着剤が劣化しフィルター基板と取付具が外れ、フィルター基板が脱落する恐れがあるため、フィルター基板に取付具を係止するための孔や溝に、孔や溝を設けた取付具を締結部材で係止することが好ましい。具体的な締結部材は、頭付きボルトナット、鋲等が好ましく用いられる。特に取付具厚みとフィルター基板厚みに調整可能な頭付きボルトナットが最も好ましい。ボルトナットは錆びを生じない樹脂製が良く、安価に入手可能なポリカーボネート製が一層良好である。
【００２１】
また、締結部材を用いず、フィルター基板の穴や溝に、取付具の一部を屈曲させ直接係止させてもよい。
【００２２】
また、本発明の取付具が使用される光学フィルターにあっては、例えばその上部に本発明の取付具を用いる場合に、該フィルターの下部の表示装置筐体または画面との間にその接触を妨げるように緩衝材を配しても良いし、また、該フィルターの下部に表示装置の裏面を巻囲するように線状または帯状の固定具を用いてフィルターの固定をはかることも好ましい態様である。
【実施例】
【００２３】
実施例１
以下、実施例を挙げて本発明を具体的に説明するが、本発明は係る実施例に限定される訳ではない。
【００２４】
図１は、本発明の光学フィルター及びその取付具を表示装置であるノート型パソコンの表示画面部に取り付けた一実施例を示す斜視図である。ノート型パソコンはＩＮＳＰＩＲＯＮ２１００（デルコンピュータ社製）を用いた。該パソコンの表示画面サイズは一般に１２．１型と呼ばれているものである。
【００２５】
フィルター基板は商品名Ｅフィルタースーパークリア（東レ株式会社製）のフィルター基板を使用した。該フィルター基板は２ｍｍ厚みのアクリル板に反射防止膜などが形成されている。
【００２６】
フィルター基板の寸法は縦１９５ｍｍ、横２６５ｍｍのものを使用し、ノート型パソコンの表示画面部より大きく、画面部筺体サイズを越えない寸法とした。
【００２７】
フィルター基板を表示装置に装着する為の取付具は、形状の詳細を図２に示す様に、ポリカーボネート製なべネジＭ４×Ｌ６とナットを用い、用い、取付具と取り付け用穴（φ４ｍｍ）を有したフィルター基板をを係合した。さらに、フィルター基板が表示画面部とほぼ平行になるようにフィルター基板の下部左右２カ所に前記ネジ、ナットを取り付けた。
【００２８】
取付具の芯材は、ステンレス製バネ鋼幅５ｍｍ、長さ７０ｍｍ、厚み０．５ｍｍ、周部材はＥＶＡ樹脂（"Ｐ−３３０７"、三井・デュポンポリケミカル社製）を厚み１〜２ｍｍに肉盛りするように射出成形にて形成した。
【００２９】
上述の構成の本発明の取付具をフィルター基板の表示画面上部に２ヶ所に設けた。
【００３０】
取付具は、ノートパソコンの表示部面から背面にかけて筐体の外形に沿うように屈曲させた。図４に屈曲した取付具を図示する。屈曲しやすいように表示装置への接触面側に凹部を設けた。この凹部により光学フィルターを装着する際にフィルター基板が左右にバランスよく装着される。
【００３１】
本パソコンを用いてワープロ作業を実施したが、表示画面に表示されている情報は本発明の取付具によって見えにくくなることもなく、光学フィルタの防眩機能やコントラスト向上機能等により快適なＶＤＴ作業を実施できた。
【００３２】
実施例２
図６は、本発明の光学フィルター用取付具を用いて、光学フィルターを液晶モニタのデスクトップ型の表示画面部に取り付けた別の一実施例を示す斜視図である。
【００３３】
液晶モニタは表示画面サイズが一般に１５型と呼ばれているものを用いた。表示画面サイズの大型化により、フィルター基板のサイズが大きくなり重量が増加したが、本発明の取付具を用い装着し、ワープロ作業を実施したが、実施例１と同様に何ら問題なく使用することができた。
【００３４】
さらに、取付具を液晶モニタ筺体色と同系色に着色する、すなわち、液晶モニタ筺体色がアイボリー色である場合、取付具もアイボリー系色とする、ことにより取付具の違和感を感じず装着できた。
【００３５】
また、軟質部が取付具の滑り止め効果となり、フィルター基板に軽く接触しても落下する等の問題を防ぐことができた。
【００３６】
実施例３
図７は本発明の取付具を芯材を線状の部材とした別の一実施例を示す斜視図である。図８は図７におけるＺ−Ｚ断面を示す。取付具の芯材は、ステンレス製バネ鋼φ１ｍｍ、長さ７０ｍｍ、周部材はＥＶＡ樹脂（"Ｐ−３３０７"、三井・デュポンポリケミカル社製）を厚み１〜２ｍｍに肉盛りするように射出成形にて形成した。フィルター基板を取り付けるよう芯材の一方を曲率２ｍｍで輪のように曲げ、前記ネジをフィルター基板穴と取付具芯材の輪に通しナットより固定したが、実施例１および実施例２と同様に問題なく使用することができた。
【００３７】
さらに、特に図面をもって説明しないが芯材を釣り針状とし、フィルター基板穴に引っ掛けるように取付具を取り付けた場合も何ら問題なく使用することができた。
【図面の簡単な説明】
【００３８】
【図１】本発明に係る光学フィルタ用取付具を用いて光学フィルターをノート型パソコンに取り付けた一態様を示す概略斜視図である。
【図２】実施例１における本発明の取付具の取付構造を示す拡大断面図である。
【図３】実施例１で用いた光学フィルタ用取付具の斜視図である。
【図４】実施例１で用いた光学フィルタ用取付具を表示装置に沿うように屈曲せしめた状態を示す斜視図である
【図５】実施例１で用いた光学フィルタ用取付具の断面図である。
【図６】本発明の光学フィルタ用取付具を用いて光学フィルタを液晶デスクトップ型モニタに取り付けた一態様を示す概略斜視図である。
【図７】実施例３で用いた光学フィルタ用取付具の態様を示す斜視図である。
【図８】実施例３で用いた光学フィルタ用取付具の断面図である。
【符号の説明】
【００３９】
１：光学フィルタが装着された表示装置
２：取付具
３：表示装置
４：フィルタ基板
５：取付具の硬質部
６：取付具の軟質部
７：ネジ
８：ナット
９：取付部
10：凹部
【図１】
2005227539.tif 000003
【図２】
2005227539.tif 000004
【図３】
2005227539.tif 000005
【図４】
2005227539.tif 000006
【図５】
2005227539.tif 000007
【図６】
2005227539.tif 000008
【図７】
2005227539.tif 000009
【図８】
2005227539.tif 000010